(57)【要約】【課題】イヤホンコードの絡みを防止し、イヤホンの保護機能のついたイヤホンカバーを提供する【解決手段】イヤホン使用時には、イヤホンカバー１の軸部貫通孔３にプラグ８を挿し込み、イヤホンコード７を通し、プラグ８をオーディオプレーヤー等のジャックに接続する。イヤホン収納時には、イヤホンコード６をプラグ８側に引き、イヤホン本体６を軸部貫通孔３に引き込む。次にオーディオプレーヤー等のジャックよりプラグ８を抜き、フランジ部４に設けられたプラグ挿し込み孔５に挿し込むことでイヤホン本体６とプラグ８をイヤホンカバー１で一体化させることでイヤホンコード７の絡みを防止する。【選択図】    図７
2017028643.tif 000002
【特許請求の範囲】
【請求項１】
イヤホンコードの絡みを防止するイヤホンカバーであって、軸部と、この軸部の両端部に形成された一対のフランジ部と、を備えてスポンジ素材で形成され、前記軸部には長さ方向と直交する貫通孔が設けられ、前記フランジ部にはプラグ挿し込み孔が設けられていることを特徴とするイヤホンカバー。
【請求項２】
前記フランジ部の内面には軸部のまわりに環状の凹部が形成されていることを特徴とする請求項1記載のイヤホンカバー。
【請求項３】
前記軸部貫通孔はイヤホンコードとプラグを通すがイヤホン本体を貫通させない大きさであることを特徴とする請求項１又は２記載のイヤホンカバー
【発明の詳細な説明】
【技術分野】
【０００１】
本発明はイヤホンカバーでイヤホン本体とプラグを一体化させることでイヤホンコードの絡みを防止する軽量のイヤホンカバーである。
【背景技術】
【０００２】
従来のイヤホンをスムーズに使用できない理由として主にイヤホンコードの絡みが考えられる。イヤホン端末部のイヤホン本体とプラグ等が互いに交差することが絡まりの原因と思われる。これを解消する機能を有した収納具などがある。
特開２０１１−１９９７１３  のケースを使用することで左右のイヤホンの絡みは解消されるがイヤホン非使用時にはプラグが固定されていないため絡み防止としては不十分である。また、使用時にはイヤホンコードを止めるためのクリップを別途取り付ける必要がある。ケース単体の使用では重量があるため耳への負担がかかり、そのまま使用できない。
特開２００７−１６９７４０  はイヤホン非使用時にイヤホン本体を保護できるがプラグが固定されていないためイヤホンコードの絡みが懸念される。イヤホン使用時にはカバーを外すため、イヤホンの収納の度にこのケースをバッグ等より取り出す必要がある。また、カバーの紛失も懸念される。
特開２００５−１９８０４８  は絡み防止という点では効果的ではあるがイヤホン本体の保護機能がない。
【先行技術文献】
【特許文献】
【０００３】
【特許文献１】特開２０１１−１９９７１３（P２０１１−１９９７１３Ａ）
【特許文献２】特開２００７−１６９７４０（P２００７−１６９７４０Ａ）
【特許文献３】特開２００５−１９８０４８（P２００５−１９８０４８Ａ）
【発明の概要】
【発明が解決しようとする課題】
【０００４】
本発明はこのような問題点に鑑み、イヤホンコードの絡みを効果的に防止でき、しかも、取り外したり、他の器具を用いたりしないでもそのまま使用でき、且つ、非使用時にイヤホン本体を十分に保護できるイヤホンカバーの提供を目的とする。
【課題を解決するための手段】
【０００５】
上記の目的を達成するため、小さすぎず手で握れるほどのサイズと柔軟性と硬度を有したスポンジ素材を使用してイヤホンカバーを形成する。イヤホンカバーは軸部と、この軸部の両端部に形成された一対の例えばキノコ型あるいは傘型といった凹状のフランジ部から構成される。軸部の中央部にはイヤホン本体を挿し込み固定できる貫通孔が設けられ、フランジ部にはプラグを挿し込み固定できるプラグ挿し込み孔が設けられる。
イヤホン使用時にはイヤホンカバーの軸部貫通孔にプラグ、イヤホンコードを通してプラグをオーディオプレーヤー等に接続し、イヤホン本体を耳に装着する。イヤホンカバーはイヤホンコードに取り付けられた状態となっているが、スポンジ素材からなり軽いので使用に支障は生じない。イヤホン非使用時にはイヤホンカバーを持ち、イヤホンコードをプラグ側へ引き、軸部貫通孔に一対のイヤホン本体を引き入れる。
イヤホンカバーの軸部に形成される軸部貫通孔は一対のイヤホン本体を同時に通過させない大きさに形成される。従って一対のイヤホン本体は軸部貫通孔に挿し込まれて保持された状態になり、軸部から突出している一対のイヤホン本体部分は一対のフランジ部の間に位置してフランジ部で挟み込まれて保護される。
次にオーディオプレーヤー等から外したプラグをフランジ部のプラグ挿し込み孔に挿し込む。プラグ挿し込み孔は容易に脱落しない様に形成される。このようにして非使用時にイヤホン本体とプラグをイヤホンカバーで一体化させて保持しておけばイヤホンコードが絡まるといったことがない。イヤホン本体とプラグを一緒に保持したらイヤホンコードを軸部の周りに巻き付けておいてもよい。再度イヤホン使用時にはこれらの逆の手順を行うことでイヤホンコードが絡まずスムーズに使用することができる。
プラグ挿し込み孔はイヤホン本体とプラグを一体化させるのが目的なのでイヤホンカバーのどの位置にあってもよい。また、プラグの形状によっては軸部貫通孔にプラグを挿し、軸部貫通孔をプラグ挿し込み孔として兼用してもよい。
フランジ部外形を楕円形やハート型、星型、その他キャラクター等の様々な形状に形成できる。
【発明の効果】
【０００６】
上述の様に本発明イヤホンカバーを使用することにより、イヤホン非使用時にはイヤホン本体とプラグを保護する事ができ、イヤホン本体とプラグを一体化させる事でイヤホンコードの絡みが軽減される。軸部両端部に一対のフランジ部を設けることによって、その間にイヤホンコードを巻き込む事が可能になり、イヤホンコードの収納もできるようになる。また、スポンジを素材とするので種々の形状のイヤホンにも対応できるようになる。イヤホン使用時は軸部貫通孔にイヤホンコードを通したまま使用するので常にイヤホン本体とオーディオプレーヤー等の間にあるため紛失することがない。オーディオプレーヤー等とプラグとの接続部にイヤホンカバーを移動することで、接続部の保護としても利用できる。
スポンジ素材で軽量なため、そのままぶら下げて使用しても耳にかかる重量負担は大きくない。スポンジ素材のイヤホンカバーは変形するので胸ポケットに入れることも可能である。また、イヤホンカバーはスポンジ素材で小さすぎず手で握れるほどのサイズにすることでバッグ等の中で手探りでも識別しやすく、バッグ等からの取り出し時間も短縮される。
【図面の簡単な説明】
【０００７】
【図１】本発明にかかるイヤホンカバーの全体斜視図
【図２】軸部中央部を貫通孔側からみたイヤホンカバー断面図
【図３】軸部中央部を貫通孔と直交する側からみたイヤホンカバー断面図
【図４】イヤホンカバー使用時の一方のフランジ部を省略した図
【図５】軸部貫通孔にイヤホン本体を入れた時の一方のフランジ部を省略した図
【図６】プラグ挿し込み孔にプラグを入れた時の図
【図７】イヤホンコードを収納した時の図
【図８】フランジ部形状バリエーション例
【発明を実施するための形態】
【０００８】
イヤホンカバー１は小さすぎず手で握れるほどのサイズと柔軟性と硬度を有したスポンジ素材で形成され、イヤホンカバー１は軸部２と、その両端部に形成された一対のフランジ部４とを有する。軸部２にはイヤホンコード７が通り且つイヤホン本体６より小さな軸部貫通孔３が設けられ、フランジ部４にはプラグを挿し込み固定できるプラグ挿し込み孔５が設けられる。軸部２は軸部貫通孔３から突出したイヤホン本体６の部分の幅より長いことが好ましい。このように構成すればイヤホン本体６の突出した部分を一対のフランジ部４で全体的に包むように収容できる。フランジ部４は軸部２の両端にあり、一対の向かい合ったフランジ部４の端部は双方が互いに接近するように設けられている。例えば一対の向かい合ったフランジ部４と軸部２の接合部を凹状にすることにより、軸部２のまわりには環状の空間が形成される。この空間によって軸部貫通孔３より突出したイヤホン本体６を包み込んで保護し、またイヤホン本体６の軸部貫通孔３からの抜けを防止し、イヤホンカバー１からの飛び出しも防止される。この空間はイヤホンコード７の収納部としても利用することができる。
【０００９】
次に本発明のイヤホンカバーの使用方法を説明する。
イヤホンカバー１を使用するにはイヤホンカバー１の軸部貫通孔３にプラグ８を挿し込み、イヤホンコード７を通す（図４）。プラグ８をオーディオプレーヤー等のジャックに接続し、イヤホン本体６を耳に装着すればオーディオプレーヤー等の音声を聴くことが出来る。イヤホンカバー１はコードにぶら下がったままの状態になるが、軽量のスポンジ素材なので取扱に支障がない。
イヤホンの非使用時には、イヤホンコード６をプラグ８側に引き、イヤホン本体６を軸部貫通孔３に引き込む（図５）。屈曲したイヤホン本体６は軸部２で止まり、突出したイヤホン本体６は一対の凹状のフランジ部４によって包むように挟み込まれて保護される。オーディオプレーヤー等のジャックよりプラグ８を抜き、プラグ挿し込み孔５に挿し込むことでイヤホン本体６とプラグ８をイヤホンカバー１で一体化させる（図６）。
イヤホンコード７は一対のフランジ部４の間に巻き込むことで綺麗に収納できる（図７）。
【符号の説明】
【００１０】
１  イヤホンカバー
２  軸部             
３  軸部貫通孔       
４  フランジ部       
５  プラグ挿し込み孔
６  イヤホン本体     
７  イヤホンコード
８  プラグ
【図１】
2017028643.tif 000003
【図２】
2017028643.tif 000004
【図３】
2017028643.tif 000005
【図４】
2017028643.tif 000006
【図５】
2017028643.tif 000007
【図６】
2017028643.tif 000008
【図７】
2017028643.tif 000009
【図８】
2017028643.tif 000010